(57)【要約】【課題】  バンドの長さを調整するための新規なアジャスト構造を提供することにある。【解決手段】  バンド１０は、内駒２０と外駒３０をバンド１０の幅方向に貫通する連結ピン４０で連結することによって構成されている。連結ピン４０には、その円周方向に一部細くした溝部４１を設けている。内駒２０の裏面２１には、連結ピン４０を貫通させるためにバンド駒に形成されたピン孔へ連接するように形成された凹部２２を備える。この凹部２２には押バネ５０によって付勢されるピン固定パーツ６０を備えて、ピン固定パーツ６０の貫通孔６１と連結ピン４０の溝部４１が係止した状態となり、連結ピン４０がピン孔内で固定されることになる。【選択図】  図１
0003169559.tif 000002
【実用新案登録請求の範囲】
【請求項１】
バンドを構成するバンド駒の着脱を可能としたバンドのアジャスト構造であって、
バンドの内側に位置するバンド駒である内駒と、バンドの外側に内駒とずれて位置するバンド駒である外駒とをバンドの幅方向に貫通して連結する連結ピンと、
連結ピンを貫通させるためにバンド駒に形成されたピン孔へ内駒の裏面又は表面から連接するように形成された凹部と、
凹部内にあって凹部底部に設けられた付勢部材によって凹部開口部側へ付勢されるとともに、連結ピンを貫通させる貫通孔を形成したピン固定パーツとを備え、
連結ピンを円周方向に一部細くした溝部をピン固定パーツの貫通孔に係止させることによって、連結ピンをピン孔内で固定したことを特徴とするバンドのアジャスト構造。
【請求項２】
凹部を内駒ではなく、外駒の裏面又は表面に形成したことを特徴とする請求項１記載のバンドのアジャスト構造。
【請求項３】
付勢部材を押バネ又はシリコン球としたことを特徴とする請求項１又は２記載のバンドのアジャスト構造。
【請求項４】
ピン固定パーツの外表面に貫通孔の方向を示す目印を設けたことを特徴とする請求項１，２又は３記載のバンドのアジャスト構造。
【請求項５】
請求項１，２，３又は４記載のバンドのアジャスト構造を備えたことを特徴とする時計バンド。
【考案の詳細な説明】
【技術分野】
【０００１】
本願考案は、バンドの長さを簡易に調整できるアジャスト構造に関するものである。
【背景技術】
【０００２】
本願出願人は、これまでに時計バンドの分野において、バンド長さを簡易に調整できるアジャスト構造を様々研究・開発してきた（例えば、特許文献１及び２など）。
【先行技術文献】
【特許文献】
【０００３】
【特許文献１】特開２００２−０９５５０７号公報
【特許文献２】特開２００３−１１１６０４号公報
【考案の概要】
【考案が解決しようとする課題】
【０００４】
そして、この度、これまでにない新規なアジャスト構造として、本願考案を完成するに至った。
【課題を解決するための手段】
【０００５】
本願考案の内容は、以下の通りである。
第１の考案は、バンドを構成するバンド駒の着脱を可能としたバンドのアジャスト構造であって、バンドの内側に位置するバンド駒である内駒と、バンドの外側に内駒とずれて位置するバンド駒である外駒とをバンドの幅方向に貫通して連結する連結ピンと、連結ピンを貫通させるためにバンド駒に形成されたピン孔へ内駒の裏面又は表面から連接するように形成された凹部と、凹部内にあって凹部底部に設けられた付勢部材によって凹部開口部側へ付勢されるとともに、連結ピンを貫通させる貫通孔を形成したピン固定パーツとを備え、連結ピンを円周方向に一部細くした溝部をピン固定パーツの貫通孔に係止させることによって、連結ピンをピン孔内で固定したことを特徴とするものである。
第２の考案は、凹部を内駒ではなく、外駒の裏面又は表面に形成したことを特徴とする同バンドのアジャスト構造である。
第３の考案は、付勢部材を押バネ又はシリコン球としたことを特徴とする同バンドのアジャスト構造である。
第４の考案は、ピン固定パーツの外表面に貫通孔の方向を示す目印を設けたことを特徴とする同バンドのアジャスト構造である。
第５の考案は、上記バンドのアジャスト構造を備えたことを特徴とする時計バンドである。
【考案の効果】
【０００６】
本願考案によれば、以下のような効果を有する。
（１）付勢部材によって凹部開口部側へ付勢されたピン固定パーツの貫通孔と連結ピンの溝部が係止することで連結ピンがピン孔内で固定する一方で、ピン固定パーツを凹部底部側へ押圧することでピン固定パーツの貫通孔と連結ピンの溝部の係止状態が解消されて、連結ピンをピン孔から取り外すことができる。
（２）また、ピン固定パーツを凹部底部側へ押圧することで連結ピンをピン孔へ挿通して取り付けることができる。すなわち、再びピン固定パーツの貫通孔と連結ピンの溝部が係止する状態を作り出すことができる。
（３）従って、特に専用工具を使用せずに連結ピンの取り外し・取り付けができるので、バンドの長さを簡易に調整（アジャスト）できる。
（４）また、簡易にバンドの長さを調整できる一方で、ピン孔内でピン固定パーツの貫通孔と連結ピンの溝部が確実に係止されており、連結ピンが自然に抜け落ちることを防止できるので、バンド駒の連結状態を安定して維持できる。
【図面の簡単な説明】
【０００７】
【図１】本願考案に係る第１実施形態を示す斜視図。
【図２】本願考案に係る第１実施形態を示す断面図。
【図３】本願考案に係る第２実施形態を示す断面図。
【考案を実施するための形態】
【０００８】
本願考案の実施形態を図面に基づいて説明する。
図１及び図２は、本願考案に係るバンドのアジャスト構造の第１実施形態を図示したものである。
まず、図１の斜視図を説明する。バンド１０は、バンド１０の内側に位置するバンド駒である内駒２０と、バンド１０の外側に内駒２０とずれて位置するバンド駒である外駒３０とで構成されている。そして、内駒２０と外駒３０は、バンド１０の幅方向に貫通する連結ピン４０によって連結されている。この連結ピン４０には、その円周方向に一部細くした溝部４１を設けている。また、内駒２０の裏面２１には、連結ピン４０を貫通させるためにバンド駒に形成されたピン孔へ連接するように形成された凹部２２を備える。この凹部２２には、付勢部材としての押バネ５０とピン固定パーツ６０とを備える。
【０００９】
次に、図２の断面図を説明する。図２は、連結ピン４０を用いてバンド駒（内駒２０と外駒３０）を連結した状態の縦断面図である。図示するように、中央の内駒２０と両側の外駒３０に形成されたピン孔に連結ピン４０が貫通している。そして、連結ピン４０の溝部４１が、ちょうど内駒２０の裏面２１に形成された凹部２２に位置するとともに、凹部２２に備えられたピン固定パーツ６０の貫通孔６１をも貫通している。この時、ピン固定パーツ６０は凹部２２の底部に設けられた付勢部材としての押バネ５０によって凹部２２の開口部側へ付勢されている。その結果、ピン固定パーツ６０の貫通孔６１と連結ピン４０の溝部４１が係止した状態となり、連結ピン４０がピン孔内で固定されることになる。
【００１０】
また、連結ピン４０は、ピン固定パーツ６０を凹部２２の底部側へ押圧することでピン固定パーツ６０の貫通孔６１と連結ピン４０の溝部４１の係止状態が解消されて、ピン孔から簡単に取り外すことができる。そして、一旦取り外した連結ピン４０は、ピン固定パーツ６０を凹部２２の底部側へ再び押圧することでピン孔へ挿通して簡単に取り付けることができる。すなわち、再びピン固定パーツ６０の貫通孔６１と連結ピン４０の溝部４１が係止する状態を作り出すことができるのである。
【００１１】
以上のことから、特に専用工具を使用せずに連結ピン４０の取り外し・取り付けが簡単にできるので、バンドの長さを簡易に調整（アジャスト）できる。また、簡易にバンドの長さを調整できる一方で、ピン孔内でピン固定パーツ６０の貫通孔６１と連結ピン４０の溝部４１が確実に係止されており、連結ピン４０が自然に抜け落ちることを防止できるので、バンド駒（内駒２０と外駒３０）の連結状態を安定して維持できる。
【００１２】
なお、連結ピン４０をピン孔へ挿通する場合に、ピン固定パーツ６０の貫通孔６１にも挿通する必要があるが、凹部２０に挿入されている状態で貫通孔６１の方向を確認できないので、ピン孔と貫通孔が一致しない可能性がある（この場合、連結ピン４０を挿通できない）。このため、図１に示すように、ピン固定パーツ６０の外表面に貫通孔６１の方向を示す目印６２を設けて、貫通孔６１の方向を凹部２０に挿入された状態で確認（視認）できるようにするとよい。
【００１３】
図３は、本願考案に係るバンドのアジャスト構造の第２実施形態を断面図で図示したものである。
図３に示す第２実施形態が図１及び図２に示す第１実施形態と異なるのは、ピン固定パーツ６０を凹部２２の開口部側へ付勢する付勢部材としてシリコン球５１を使用したことである。シリコン球５１を凹部２２の底部に設けることによって、第１実施形態と同様にピン固定パーツ６０が凹部２２の開口部側へ付勢されて、ピン固定パーツ６０の貫通孔６１と連結ピン４０の溝部４１が係止した状態となり、連結ピン４０がピン孔内で固定されることになる。第２実施形態では、付勢部材としてシリコン球５１を使用したこと以外は第１実施形態と同じであるので、その説明を省略する（図面の符号も第１実施形態と同じものを使用する）。
【００１４】
なお、図１〜図３に図示した第１実施形態及び第２実施形態に限らず、次のような構成に変更又は構成を追加してもよい。
（１）内駒２０の裏面２１に代えて、表面側に凹部を形成してもよい。
（２）内駒２０に代えて、左右どちらか一方の外駒３０の裏面又は表面に凹部を形成してもよい。
（３）付勢部材として押バネ５０又はシリコン球５１に代えて、付勢作用のある弾性体であればよい。
（４）凹部２０の開口部を絞って（かしめて）、ピン固定パーツ６０が凹部２０から抜け落ちないようにしてもよい（連結ピン４０との非係止状態時において）。
【産業上の利用可能性】
【００１５】
本願考案は、時計バンドや装身具のバンドの他、ものを締結する際に用いられるバンド・ベルト類などにも幅広く利用できるものである。
【符号の説明】
【００１６】
１０  バンド
２０  バンド駒（内駒）    ２１  裏面      ２２  凹部
３０  バンド駒（外駒）
４０  連結ピン            ４１  溝部
５０  押バネ（付勢部材）  ５１  シリコン球（付勢部材）
６０  ピン固定パーツ      ６１  貫通孔    ６２  目印
【図１】
0003169559.tif 000003
【図２】
0003169559.tif 000004
【図３】
0003169559.tif 000005